(57)【要約】      （修正有）【訣題】装着し易いと共に脱げにくいライフジャケットを提供する。【解決手段】ライフジャケットＬは、首を通す首穴部１ａを有した接続部１０を介して前身ごろ１１と後身ごろとが連結されると共に、浮力材１３を内在した本体１と、正面視、前身ごろ１１の左上部裏面と後身ごろの左上部裏面に取り付けられ、右腕を通す左調整紐と２、この左調整紐２の絞りを固定する左ストッパー３と、正面視、前身ごろ１１の右上部裏面と後身ごろの右上部裏面に取り付けられ、左腕を通す右調整紐２’と、この右調整紐２’の絞りを固定する右ストッパー３’とを備え、本体１の左右の横腹部が分離し、前身ごろ１１の底部と後身ごろの底部が分離し、本体１の底部が頭、左右の手の挿脱口を形成しているものである。【選択図】図１
0003173705.tif 000002
【実用新案登録請求の範囲】
【請求項１】
首を通す首穴部を有した接続部を介して前身ごろと後身ごろとが連結されると共に、浮力材を内在した本体と、
正面視、前記前身ごろの左上部裏面と前記後身ごろの左上部裏面に取り付けられ、右腕を通す左調整紐と、
この左調整紐の絞りを固定する左ストッパーと、
正面視、前記前身ごろの右上部裏面と前記後身ごろの右上部裏面に取り付けられ、左腕を通す右調整紐と、
この右調整紐の絞りを固定する右ストッパーとを備え、
前記本体の左右の横腹部が分離し、
前記前身ごろの底部と前記後身ごろの底部が分離し、前記本体の底部が頭、左右の手の挿脱口を形成している
ことを特徴とするライフジャケット。
【請求項２】
首を通す首穴部を有した接続部を介して前身ごろと後身ごろとが連結されると共に、浮力材を内在した本体と、
正面視、前記前身ごろの左部と前記後身ごろの左部との離間距離を調節する左側調節ベルトと、
正面視、前記前身ごろの右部と前記後身ごろの右部との離間距離を調節する右側調節ベルトと、
正面視、前記前身ごろの左上部裏面と前記後身ごろの左上部裏面に取り付けられ、右腕を通す左調整紐と、
この左調整紐の絞りを固定する左ストッパーと、
正面視、前記前身ごろの右上部裏面と前記後身ごろの右上部裏面に取り付けられ、左腕を通す右調整紐と、
この右調整紐の絞りを固定する右ストッパーとを備え、
前記本体の左右の横腹部が分離し、
前記前身ごろの底部と前記後身ごろの底部が分離し、前記本体の底部が頭、左右の手の挿脱口を形成している
ことを特徴とするライフジャケット。
【請求項３】
一端を後身ごろに、中途を前身ごろの正面視左部に、それぞれ取り付けられ、他端を自由端とした左部ベルトと、
この左部ベルトの前身ごろの正面視左部に取り付けられた部位と前記左部ベルトの自由端との間に設けられ、ベルト長さを調節する左部ベルト調節部と、
一端を後身ごろに、中途を前身ごろの正面視右部に、それぞれ取り付けられ、他端を自由端とした右部ベルトと、
この右部ベルトの前身ごろの正面視右部に取り付けられた部位と前記右部ベルトの自由端との間に設けられ、ベルト長さを調節する右部ベルト調節部と、
前記左部ベルト調節部に設けられた連結差し込み部と、
前記右部ベルト調節部に設けられた連結受け部とを備え、
前記連結受け部は、前記連結差し込み部に連結するものであり、
左側調節ベルトは、前記左部ベルト、前記左部ベルト調節部を有し、
右側調節ベルトは、前記右部ベルト、前記右部ベルト調節部を有し、
ていることを特徴とする請求項１又は請求項２記載のライフジャケット。
【請求項４】
一端を後身ごろに、中途を前身ごろの正面視左部に、それぞれ取り付けられ、他端を自由端とした左部ベルトと、
この左部ベルトの前身ごろの正面視左部に取り付けられた部位と前記左部ベルトの自由端との間に設けられ、ベルト長さを調節する左部ベルト調節部と、
一端を後身ごろに、中途を前身ごろの正面視右部に、それぞれ取り付けられ、他端を自由端とした右部ベルトと、
この右部ベルトの前身ごろの正面視右部に取り付けられた部位と前記右部ベルトの自由端との間に設けられ、ベルト長さを調節する右部ベルト調節部と、
前記右部ベルト調節部に設けられた連結差し込み部と、
前記左部ベルト調節部に設けられた連結受け部とを備え、
前記連結受け部は、前記連結差し込み部に連結するものであり、
左側調節ベルトは、前記左部ベルト、前記左部ベルト調節部を有し、
右側調節ベルトは、前記右部ベルト、前記右部ベルト調節部を有し、
ていることを特徴とする請求項１又は請求項２記載のライフジャケット。
【請求項５】
左部ベルトの裏面に第１の左面状ファスナーと、
正面視、前身ごろの左部に位置する前記左部ベルトの表面に設けられ、前記第１の左面状ファスナーに係止する第２の左面状ファスナーと、
右部ベルトの裏面に第１の右面状ファスナーと、
正面視、前身ごろの右部に位置する前記右部ベルトの表面に設けられ、前記第１の右面状ファスナーに係止する第２の右面状ファスナーと、
を備えていることを特徴とする請求項２〜４のいずれか１項に記載のライフジャケット。
【請求項６】
椅子の背もたれに前身ごろの底部と後身ごろの底部が分離している本体の底部からライフジャケットを通して、前記ライフジャケットを前記椅子に装着する
ことを特徴とする請求項１又は請求項２記載のライフジャケット。
【請求項７】
左調整紐は、正面視、前身ごろの左上部裏面に設けた左第１の通路と後身ごろの左上部裏面に設けた左第２の通路を通り、前記左第１の通路から露出し、自由端に至る前記左調整紐の部位は左第１の部位であり、前記左第２の通路から露出し、自由端に至る前記左調整紐の部位は左第２の部位であり、前記左第１の部位と前記左第２の通路に跨って左ストッパーが取り付けられ、
右調整紐は、正面視、前身ごろの右上部裏面に設けた右第１の通路と後身ごろの右上部裏面に設けた右第２の通路を通り、前記右第１の通路から露出し、自由端に至る前記右調整紐の部位は右第１の部位であり、前記右第２の通路から露出し、自由端に至る前記右調整紐の部位は右第２の部位であり、前記右第１の部位と前記右第２の通路に跨って右ストッパーが取り付けられ、
前記左調整紐の左第１の通路から露出し前記左ストッパーに至る部位、前記左調整紐の左第２の通路から露出し前記左ストッパーに至る部位、前記前身ごろの左上部裏面、前記後身ごろの左上部裏面で囲まれた空間に左腕が、前記右調整紐の右第１の通路から露出し前記右ストッパーに至る部位、前記右調整紐の右第２の通路から露出し前記右ストッパーに至る部位、前身ごろの右上部裏面、後身ごろの右上部裏面で囲まれた空間に右腕が、それぞれ入る構成とした
ことを特徴とする請求項１又は請求項２記載のライフジャケット。
【考案の詳細な説明】
【技術分野】
【０００１】
本考案は、ライフジャケットに係り、特に、装着し易いと共に、脱げにくいライフジャケットに関する。
【背景技術】
【０００２】
従来、ライフジャケットとして、左右一対の前身ごろをファスナーによって開閉し、前身ごろの右部と後身ごろを接続する環状の第１の止め紐、前身ごろの左部と後身ごろを接続する環状の第２の止め紐を備えたものがある（例えば、特許文献参照）。
【先行技術文献】
【特許文献】
【０００３】
【特許文献１】実開平４−３９９８９号公報  第１図
【考案の概要】
【考案が解決しようとする課題】
【０００４】
上記ライフジャケットにあっては、装着する場合、第１の止め紐に右足を、第２の止め紐に左足を、それぞれ入れ、その後、ファスナーによって左右一対の前身ごろを閉じるようにしている。
ところが、災害時、上記のように、環状の第１の止め紐に右足を、環状の第２の止め紐に左足を、それぞれ入れ、その後、ファスナーによって左右一対の前身ごろを閉じるようにして装着したのでは、急な災害、例えば、津波にあっては、時間がかかってしまうという問題点があった。
【０００５】
本考案は、上記の問題点を除去するようにしたライフジャケットを提供することを目的とする。
【課題を解決するための手段】
【０００６】
請求項１記載のライフジャケットは、首を通す首穴部を有した接続部を介して前身ごろと後身ごろとが連結されると共に、浮力材を内在した本体と、正面視、前記前身ごろの左上部裏面と前記後身ごろの左上部裏面に取り付けられ、右腕を通す左調整紐と、この左調整紐の絞りを固定する左ストッパーと、正面視、前記前身ごろの右上部裏面と前記後身ごろの右上部裏面に取り付けられ、左腕を通す右調整紐と、この右調整紐の絞りを固定する右ストッパーとを備え、前記本体の左右の横腹部が分離し、前記前身ごろの底部と前記後身ごろの底部が分離し、前記本体の底部が頭、左右の手の挿脱口を形成しているものである。
【０００７】
また、請求項２記載のライフジャケットは、首を通す首穴部を有した接続部を介して前身ごろと後身ごろとが連結されると共に、浮力材を内在した本体と、正面視、前記前身ごろの左部と前記後身ごろの左部との離間距離を調節する左側調節ベルトと、正面視、前記前身ごろの右部と前記後身ごろの右部との離間距離を調節する右側調節ベルトと、正面視、前記前身ごろの左上部裏面と前記後身ごろの左上部裏面に取り付けられ、右腕を通す左調整紐と、この左調整紐の絞りを固定する左ストッパーと、正面視、前記前身ごろの右上部裏面と前記後身ごろの右上部裏面に取り付けられ、左腕を通す右調整紐と、この右調整紐の絞りを固定する右ストッパーとを備え、前記本体の左右の横腹部が分離し、前記前身ごろの底部と前記後身ごろの底部が分離し、前記本体の底部が頭、左右の手の挿脱口を形成しているものである。
【０００８】
また、請求項３記載のライフジャケットは、請求項１又は請求項２記載のライフジャケットにおいて、一端を後身ごろに、中途を前身ごろの正面視左部に、それぞれ取り付けられ、他端を自由端とした左部ベルトと、この左部ベルトの前身ごろの正面視左部に取り付けられた部位と前記左部ベルトの自由端との間に設けられ、ベルト長さを調節する左部ベルト調節部と、一端を後身ごろに、中途を前身ごろの正面視右部に、それぞれ取り付けられ、他端を自由端とした右部ベルトと、この右部ベルトの前身ごろの正面視右部に取り付けられた部位と前記右部ベルトの自由端との間に設けられ、ベルト長さを調節する右部ベルト調節部と、前記左部ベルト調節部に設けられた連結差し込み部と、前記右部ベルト調節部に設けられた連結受け部とを備え、前記連結受け部は、前記連結差し込み部に連結するものであり、左側調節ベルトは、前記左部ベルト、前記左部ベルト調節部を有し、右側調節ベルトは、前記右部ベルト、前記右部ベルト調節部を有しているものである。
【０００９】
また、請求項４記載のライフジャケットは、請求項１又は請求項２記載のライフジャケットにおいて、一端を後身ごろに、中途を前身ごろの正面視左部に、それぞれ取り付けられ、他端を自由端とした左部ベルトと、この左部ベルトの前身ごろの正面視左部に取り付けられた部位と前記左部ベルトの自由端との間に設けられ、ベルト長さを調節する左部ベルト調節部と、一端を後身ごろに、中途を前身ごろの正面視右部に、それぞれ取り付けられ、他端を自由端とした右部ベルトと、この右部ベルトの前身ごろの正面視右部に取り付けられた部位と前記右部ベルトの自由端との間に設けられ、ベルト長さを調節する右部ベルト調節部と、前記右部ベルト調節部に設けられた連結差し込み部と、前記左部ベルト調節部に設けられた連結受け部とを備え、前記連結受け部は、前記連結差し込み部に連結するものであり、左側調節ベルトは、前記左部ベルト、前記左部ベルト調節部を有し、右側調節ベルトは、前記右部ベルト、前記右部ベルト調節部を有しているものである。
【００１０】
また、請求項５記載のライフジャケットは、請求項２〜４のいずれか１項に記載のライフジャケットにおいて、左部ベルトの裏面に第１の左面状ファスナーと、正面視、前身ごろの左部に位置する前記左部ベルトの表面に設けられ、前記第１の左面状ファスナーに係止する第２の左面状ファスナーと、右部ベルトの裏面に第１の右面状ファスナーと、正面視、前身ごろの右部に位置する前記右部ベルトの表面に設けられ、前記第１の右面状ファスナーに係止する第２の右面状ファスナーとを備えているものである。
【００１１】
また、請求項６記載のライフジャケットは、請求項１又は請求項２記載のライフジャケットにおいて、椅子の背もたれに前身ごろの底部と後身ごろの底部が分離している本体の底部からライフジャケットを通して、前記ライフジャケットを前記椅子に装着するものである。
【００１２】
また、請求項７記載のライフジャケットは、請求項１又は請求項２記載のライフジャケットにおいて、左調整紐は、正面視、前身ごろの左上部裏面に設けた左第１の通路と後身ごろの左上部裏面に設けた左第２の通路を通り、前記左第１の通路から露出し、自由端に至る前記左調整紐の部位は左第１の部位であり、前記左第２の通路から露出し、自由端に至る前記左調整紐の部位は左第２の部位であり、前記左第１の部位と前記左第２の通路に跨って左ストッパーが取り付けられ、右調整紐は、正面視、前身ごろの右上部裏面に設けた右第１の通路と後身ごろの右上部裏面に設けた右第２の通路を通り、前記右第１の通路から露出し、自由端に至る前記右調整紐の部位は右第１の部位であり、前記右第２の通路から露出し、自由端に至る前記右調整紐の部位は右第２の部位であり、前記右第１の部位と前記右第２の通路に跨って右ストッパーが取り付けられ、前記左調整紐の左第１の通路から露出し前記左ストッパーに至る部位、前記左調整紐の左第２の通路から露出し前記左ストッパーに至る部位、前記前身ごろの左上部裏面、前記後身ごろの左上部裏面で囲まれた空間に左腕が、前記右調整紐の右第１の通路から露出し前記右ストッパーに至る部位、前記右調整紐の右第２の通路から露出し前記右ストッパーに至る部位、前身ごろの右上部裏面、後身ごろの右上部裏面で囲まれた空間に右腕が、それぞれ入る構成としたものである。
【考案の効果】
【００１３】
請求項１記載のライフジャケットによれば、首を通す首穴部を有した接続部を介して前身ごろと後身ごろが連結される本体を備え、前身ごろの底部と後身ごろの底部が分離し、本体の左右の横腹部が分離し、前記本体の底部が頭、左右の手の挿脱口を形成している
ため、本体の底部の挿脱口から頭、左右の手を入れて、頭を首穴部に、右腕を左調整紐に、左腕を右調整紐に、それぞれ通し、左ストッパーにより左調整紐の絞りを、右ストッパーにより右調整紐の絞りを、それぞれ固定するだけで、ライフジャケットを簡易且つ迅速に装着することができ、また、左調整紐の絞り及び右調整紐の絞りにより装着したライフジャケットが脱げにくく、しかも、本体の左右の横腹部が分離しているため、装着される人の肥満度、大きさに柔軟に対応してライフジャケットを装着することができる。
【００１４】
また、請求項２記載のライフジャケットによれば、首を通す首穴部を有した接続部を介して前身ごろと後身ごろが連結される本体を備え、前身ごろの底部と後身ごろの底部が分離し、本体の左右の横腹部が分離し、前記本体の底部が頭、左右の手の挿脱口を形成しているため、本体の底部の挿脱口から頭、左右の手を入れて、頭を首穴部に、左腕を右調整紐に、右腕を左調整紐に、それぞれ通し、左ストッパーにより左調整紐の絞りを、右ストッパーにより右調整紐の絞りを、それぞれ固定するだけで、ライフジャケットを簡易且つ迅速に装着することができ、また、左調整紐の絞り及び右調整紐の絞りにより装着したライフジャケットが脱げにくく、しかも、本体の左右の横腹部が分離していると共に、前身ごろと後身ごろを左右の調節ベルトて調節するため、装着される人の肥満度、大きさに柔軟に対応してライフジャケットを体に密着して取り付けることができ、その分、脱げにくくすることができる。
【００１５】
また、請求項３記載のライフジャケットによれば、上述した請求項１又は請求項２記載の発明の効果に加え、左部ベルト調節部の連結差し込み部に右部ベルト調節部の連結受け部を連結して、左部ベルト及び右部ベルトを引っ張れば、ライフジャケットを体に簡易且つ迅速に密着させることができる。
【００１６】
また、請求項４記載のライフジャケットによれば、上述した請求項１又は請求項２記載の発明の効果に加え、右部ベルト調節部の連結差し込み部に左部ベルト調節部の連結受け部を連結して、左部ベルト及び右部ベルトを引っ張れば、ライフジャケットを体に簡易且つ迅速に密着させることができる。
【００１７】
また、請求項５記載のライフジャケットによれば、上述した請求項２〜４のいずれか１項記載の発明の効果に加え、左部ベルトの裏面に第１の左面状ファスナーと、正面視、前身ごろの左部に位置する前記左部ベルトの表面に設けられた前記第１の左面状ファスナーに係止する第２の左面状ファスナーと、右部ベルトの裏面に第１の右面状ファスナーと、正面視、前身ごろの右部に位置する前記右部ベルトの表面に設けられた前記第１の右面状ファスナーに係止する第２の右面状ファスナーと、を備えているため、左部ベルト及び右部ベルトがたれ落ちるのを防止すると共に、左部ベルト及び右部ベルトの緩みをも防ぐことができる。
【００１８】
また、請求項６記載のライフジャケットによれば、上述した請求項１又は請求項２記載の発明の効果に加え、椅子の背もたれに前身ごろの底部と後身ごろの底部が分離している本体の底部からライフジャケットを通して、前記ライフジャケットを前記椅子に装着するため、災害時、椅子からライフジャケットを外して、ライフジャケットを迅速且つ容易に装着することができる。
【図面の簡単な説明】
【００１９】
【図１】図１は、本考案の一実施例のライフジャケットの概略的正面図である。
【図２】図２は、図１のライフジャケットの概略的右側面図である。
【図３】図３は、図１のライフジャケットの概略的左側面図である。
【図４】図４は、図１のライフジャケットの概略的背面図である。
【図５】図５は、図１のライフジャケットを装着した状態の概略的斜視図である。
【図６】図６は、図１のライフジャケットの左右調節ベルトを連結する前の概略的図である。
【図７】図７は、図６のライフジャケットの左右調節ベルトを連結した状態の概略的図である。
【図８】図８は、図１のライフジャケットの使用状態の概略的断面図である。
【図９】図９は、図１のライフジャケットの使用状態の概略的右側面図である。
【図１０】図１０は、図９の一部の概略的斜視図である。
【図１１】図１１は、図１０の概略的断面図である。
【図１２】図１２は、図１１の押し釦の押圧した状態の概略的断面図である。
【図１３】図１３は、図１のライフジャケットを椅子に装着した状態の概略的右側面図である。
【考案を実施するための形態】
【００２０】
本考案の一実施例のライフジャケットを図面を参照して説明する。
図１に示すＬはライフジャケットで、ライフジャケットＬは、首を通す首穴部１ａを有した接続部１０を介して前身ごろ１１と後身ごろ１２とが連結されると共に、浮力材１３を内在した本体１を有している。
【００２１】
２は正面視、左に位置する左調整紐で、左調整紐２は、正面視、前身ごろ１１の左上部裏面と後身ごろ１２の左上部裏面に取り付けられ、右腕を通すものである。この左調整紐２の絞りは左ストッパー３で固定される。左調整紐２は、例えば、１本の紐を前身ごろ１１の左上部裏面に設けた通路１１Ａと後身ごろ１２の左上部裏面に設けた通路１２Ａにそれぞれ通して、紐の自由端に近い部位に左ストッパー３を取り付けている。
更に、具体的に言えば、左調整紐２は、例えば、図１及び図３に示すように、正面視、前身ごろ１１の左上部裏面に設けた左第１の通路１１Ａと後身ごろ１２の左上部裏面に設けた左第２の通路１２Ａを通り、左第１の通路１１Ａから露出し、自由端２Ａに至る左調整紐２の部位は左第１の部位２Ｂであり、左第２の通路１２Ａから露出し、自由端２Ｃに至る左調整紐２の部位は左第２の部位２Ｄであり、左第１の部位２Ｂと左第２の部位２Ｄに跨って左ストッパー３が取り付けられている。
左ストッパー３は、例えば、図１０乃至図１２に示すように、弾性部材３１によりストッパー体３２を持ち上げるように付勢力を与えると共に、押し釦３３の爪３３ａとストッパー体３２との間に位置した左調整紐２を係止させるようにしている（図１１参照）。
また、係止状態を解くには、図１２に示すように、押し釦３３を矢印方向に押せば、弾性部材３１の付勢力に抗して押し釦３３の爪３３ａとストッパー体３２との間隔が広がって、左調整紐２の移動を許容して行うことができる。
そして、左調整紐２の左第１の通路１１Ａから露出し左ストッパー３に至る部位、左調整紐２の左第２の通路１２Ａから露出し左ストッパー３に至る部位、前身ごろ１１の左上部裏面、後身ごろ１２の左上部裏面で囲まれた空間２Ｘ（図３）に右腕が入る構成となっている。
【００２２】
２’は正面視、右に位置する右調整紐で、右調整紐２’は、左調整紐２と同様に、正面視、前身ごろ１１の右上部裏面と後身ごろ１２の右上部裏面に取り付けられ、左腕を通すものである。この右調整紐２’の絞りは右ストッパー３’で固定される。右調整紐２’は、例えば、１本の紐を前身ごろ１１の右上部裏面に設けた通路１１’Ａと後身ごろ１２の右上部裏面に設けた通路１２’Ａにそれぞれ通して、紐の自由端に近い部位に右ストッパー３’を取り付けている。
更に、具体的に言えば、右調整紐２’は、例えば、図１及び図２に示すように、正面視、前身ごろ１１の右上部裏面に設けた右第１の通路１１’Ａと後身ごろ１２の右上部裏面に設けた右第２の通路１２’Ａを通り、右第１の通路１１’Ａから露出し、自由端２’Ａに至る右調整紐２’の部位は右第１の部位２’Ｂであり、右第２の通路１２’Ａから露出し、自由端２’Ｃに至る右調整紐２’の部位は右第２の部位２’Ｄであり、右第１の部位２’Ｂと右第２の部位２’Ｄに跨って右ストッパー３’が取り付けられている。
右ストッパー３’は、左ストッパー３と同様に、例えば、図１０乃至図１２に示すように、弾性部材３１’によりストッパー体３２’を持ち上げるように付勢力を与えると共に、押し釦３３’の爪３３’ａとストッパー体３２’との間に位置した右調整紐２’の紐を係止させるようにしている（図１１参照）。
係止状態を解くには、図１２に示すように、押し釦３３’を矢印方向に押せば、弾性部材３１’の付勢力に抗して押し釦３３’の爪３３’ａとストッパー体３２’との間隔が広がって、右調整紐２’の移動を許容して行うことができる。
そして、右調整紐２’の右第１の通路１１’Ａから露出し右ストッパー３’に至る部位、右調整紐２’の右第２の通路１２’Ａから露出し右ストッパー３’に至る部位、前身ごろ１１の左上部裏面、後身ごろ１２の右上部裏面で囲まれた空間２’Ｘ（図２）に左腕が入る構成となっている。
なお、本体１の左右の横腹部は、図２、図３、図５及び図９に示すように、分離している。また、前身ごろ１１の底部と後身ごろ２の底部が分離している。そのため、本体１の底部が頭、左右の手の挿脱口１Ｘ（図２及び図３参照）を形成していることとなる。
【００２３】
従って、上述したライフジャケットＬによれば、首を通す首穴部１ａを有した接続部１０を介して前身ごろ１１と後身ごろ１２が連結される本体１を備え、前身ごろ１１の底部と後身ごろ１２の底部が分離し、本体１の左右の横腹部が分離し、本体１の底部が頭、左右の手の挿脱口１Ｘを形成しているため、本体１の底部の挿脱口１Ｘ（図２及び図３参照）から頭、左右の手を入れて、頭を首穴部１ａに、左腕を右調整紐２’に、右腕を左調整紐２に、それぞれ通し、左ストッパー３により左調整紐２の絞りを、右ストッパー３’により右調整紐２’の絞りを、それぞれ固定するだけで、ライフジャケットＬを簡易且つ迅速に装着することができ、また、左調整紐２の絞り及び右調整紐２’の絞りにより装着したライフジャケットＬが脱げにくく、しかも、本体１の左右の横腹部が分離しているため、装着される人の肥満度、大きさに柔軟に対応してライフジャケットＬを装着することができる。
【００２４】
また、図１に示す５は正面視、左に位置する左側調節ベルトで、左側調節ベルト５は、正面視、前身ごろ１１の左部１１ａと後身ごろ１２の左部１２ａ（図４参照）との離間距離を調節するものである。
更に、具体的に言えば、図５に示すように、左側調節ベルト５は、左部ベルト５Ａ、左部ベルト調節部５Ｂを有し、左部ベルト５Ａは、一端を後身ごろ１２に、中途を前身ごろ１１の正面視左部に、それぞれ取り付けられ、他端を自由端５Ａ１としたものである。
左部ベルト調節部５Ｂは、左部ベルト５Ａの前身ごろ１１の正面視左部に取り付けられた部位Ａと左部調節ベルト５の自由端５Ａ１との間に設けられたベルト長さを調節するものである。
また、５Ｂ１は左部ベルト調節部５Ｂに設けられた連結差し込み部である。
【００２５】
また、図５に示す５’は正面視、右に位置する右側調節ベルトで、右側調節ベルト５’は、正面視、前身ごろ１１の右部１１ｂと後身ごろ１２の右部１２ｂ（図４参照）との離間距離を調節するものである。
更に、具体的に言えば、右側調節ベルト５’は、右部ベルト５’Ａ、右部ベルト調節部５’Ｂを有し、右部ベルト５’Ａは、一端を後身ごろ１２に、中途を前身ごろ１１の正面視右部に、それぞれ取り付けられ、他端を自由端５’Ａ１としたものである。
右部ベルト調節部５’Ｂは、右部ベルト５’Ａの前身ごろ１１の正面視右部に取り付けられた部位Ａ’と右部調節ベルト５’の自由端５’Ａ１との間に設けられたベルト長さを調節するものである。
また、５’Ｂ１は右部ベルト調節部５’Ｂに設けられた連結差し込み部５Ｂ１に連結する連結受け部である。
【００２６】
従って、図６及び図７に示すように、左部ベルト調節部５Ｂの連結差し込み部５Ｂ１に右部ベルト調節部５’Ｂの連結受け部５’Ｂ１を連結して、左部ベルト５Ａ及び右部ベルト５’Ａを引っ張れば、ライフジャケットＬを体に簡易且つ迅速に密着させることができる。また、本体１の左右の横腹部が分離（図２及び図３参照）していると共に、前身ごろ１１と後身ごろ１２を左右の調節ベルト５Ｂ、５’Ｂて調節するため、装着される人の肥満度、大きさに柔軟に対応してライフジャケットＬを体に密着して取り付けることができ、その分、脱げにくくすることができる。
なお、本実施例においては、左部ベルト調節部５Ｂに連結差し込み部５Ｂ１を、右部ベルト調節部５’Ｂに連結差し込み部５Ｂ１に連結する連結受け部５’Ｂ１を、それぞれ設けるようにしたが、本願発明にあっては、これに限らず、図示しないが、逆の構成、つまり、右部ベルト調節部に連結差し込み部を、左部ベルト調節部に連結差し込み部に連結する連結受け部をそれぞれ設けるようにしても良い。
【００２７】
また、図８に示す５Ｃは第１の左面状ファスナーで、第１の左面状ファスナー５Ｃは、左部ベルト５Ａの裏面に設けられている。
また、５Ｄは第２の左面状ファスナーで、第２の左面状ファスナー５Ｄは、正面視、前身ごろ１１左部に位置する左部ベルト５Ａの表面に設けられ、第１の左面状ファスナー５Ｃに係止するものである。
また、５’Ｃは第１の右面状ファスナーで、第１の右面状ファスナー５’Ｃは、右部ベルト５’Ａの裏面に設けられている。
また、５’Ｄは第２の右面状ファスナーで、第２の右面状ファスナー５’Ｄは、正面視、前身ごろ１１右部に位置する右部ベルト５’Ａの表面に設けられ、第１の右面状ファスナー５’Ｃに係止するものである。
【００２８】
従って、図８の状態から、第１の左面状ファスナー５Ｃを第２の左面状ファスナー５Ｄに、第１の右面状ファスナー５’Ｃを第２の右面状ファスナー５’Ｄに、それぞれ係止させれば、左部ベルト５Ａ及び右部ベルト５’Ａがたれ落ちるのを防止すると共に、左部ベルト５Ａ及び右部ベルト５’Ａの緩みをも防ぐことができる。
【００２９】
また、図１３に示すように、椅子１００の背もたれ１０１に前身ごろ１１の底部と後身ごろ１２の底部が分離している本体１０の底部からライフジャケットＬを通して、ライフジャケットＬを椅子１００に装着することができる。そのため、災害時、椅子１００からライフジャケットＬを外して、ライフジャケットＬを迅速且つ容易に装着することができる。
なお、ライフジャケットＬを身につける対象は、児童に限らず、大人でも良く、椅子１００は、例えば、学校、家、会社、車等で使用される椅子である。
また、ライフジャケットＬの裏面側にアルミ箔シート等の断熱材を取り付けて、保温効果を高めるようにしても良い。
【符号の説明】
【００３０】
Ｌ      ライフジャケット
１      本体
１ａ    首穴部
２      左調整紐
２’    右調整紐
３      左ストッパー
３’    右ストッパー
１０    接続部
１１    前身ごろ
１２    後身ごろ
【図１】
0003173705.tif 000003
【図２】
0003173705.tif 000004
【図３】
0003173705.tif 000005
【図４】
0003173705.tif 000006
【図５】
0003173705.tif 000007
【図６】
0003173705.tif 000008
【図７】
0003173705.tif 000009
【図８】
0003173705.tif 000010
【図９】
0003173705.tif 000011
【図１０】
0003173705.tif 000012
【図１１】
0003173705.tif 000013
【図１２】
0003173705.tif 000014
【図１３】
0003173705.tif 000015